(57)【要約】【課題】保護カバーの材料費及び加工費を安価にする。【解決手段】二つ折り形状で開放端側にＬ字状に曲げられた補強部材７の開放端側の二枚重ね部分に貫通した取付孔７ａと貫通した接続孔７ｂを設け、保護カバー本体８の取付孔７ａ及び接続孔７ｂに対応した部分に取付孔８ａ及び接続孔８ｂを設ける。保護カバー本体８の上下両端を補強部材７の開放端側の二枚重ね部分に挟み込み、ナイロンリベット９を接続孔７ｂ，８ｂに挿通してカシメることにより補強部材７と保護カバー本体８を接続するとともに、取付ボルト１０を取付孔７ａ，８ａに挿通して、制御盤本体１内の前部に設けられた取付脚３に螺合する。【選択図】図１
2008017590.tif 000002
【特許請求の範囲】
【請求項１】
二つ折り形状で開放端側にＬ字状に曲げられ、開放端側の二枚重ね部分に貫通した取付孔が設けられた補強部材と、補強部材の開放端側の二枚重ね部分に両端部が挟み込まれ、補強部材の取付孔と対応した部分に取付孔を有する保護カバー本体と、保護カバー本体の取付孔及び補強部材の取付孔に挿通され、制御盤本体内の前部に設けられた取付脚に取り付けられた取付部材とを備えたことを特徴とする制御盤。
【請求項２】
二つ折り形状で開放端側にＬ字状に曲げられ、開放端側の二枚重ね部分に貫通した取付孔及び貫通した接続孔が設けられた補強部材と、補強部材の開放端側の二枚重ね部分に両端部が挟み込まれ、補強部材の接続孔と対応した部分に接続孔が設けられた保護カバー本体と、保護カバー本体の接続孔及び補強部材の接続孔に挿通され、補強部材と保護カバー本体とを接続する接続部材と、補強部材の取付孔に挿通され、制御盤本体内の前部に設けられた取付脚に取り付けられた取付部材とを備えたことを特徴とする制御盤。
【請求項３】
二つ折り形状で開放端側にＬ字状に曲げられ、開放端側の二枚重ね部分に貫通した取付孔が設けられるとともに、開放端側の二枚重ね部分の一方に他方の側へ突出した突出部が設けられた補強部材と、補強部材の開放端側の二枚重ね部分に両端部が挟み込まれ、補強部材の突出部と嵌合する接続孔が設けられた保護カバー本体と、補強部材の取付孔に挿通され、制御盤本体内の前部に設けられた取付脚に取り付けられた取付部材とを備えたことを特徴とする制御盤。
【請求項４】
補強部材の他方の側へ一方の側の突出部と嵌合する接続孔を設けたことを特徴とする請求項３記載の制御盤。
【請求項５】
保護カバー本体の補強部材の取付孔に対応した部分に取付孔を設け、取付部材を補強部材の取付孔及び保護カバー本体の取付孔に挿通して制御盤本体内の前部に設けられた取付脚に取り付けたことを特徴とする請求項２〜４の何れかに記載の制御盤。
【発明の詳細な説明】
【技術分野】
【０００１】
この発明は、制御盤、特にその保護カバーに関するものである。
【背景技術】
【０００２】
従来の制御盤においては、内部の充電部に対する安全対策のために保護カバーが設けられているが、例えば電線が接続された時に電線側の充電部が露出することがあった。又、制御盤によっては、充電部の保護が十分に行われていない場合もあった。さらに、制御盤内で充電部が分散して設けられている場合、個々に保護カバーを設けると、コストアップになるため、特許文献１に示されるように、制御盤内を幾つかに分割し、必要な部分だけに保護カバーを設けることもあった。また、内部が見えるように、保護カバーを透明なプラスチック材により形成することもあった。
【０００３】
図４は従来の制御盤の一例を示し、１は制御盤本体、２は制御盤本体１に蝶番を介して開閉自在に取り付けられた扉であり、制御盤本体１内の前部には取付脚３を介して保護カバー４が取付ボルト５により取り付けられている。この場合、保護カバー４は制御盤本体１の横幅のほぼ全体を覆うように設けられており、盤幅が大きい場合には保護カバー４は補強のために板厚を厚くしたり、曲げ加工をして断面コ字状としたり、あるいは図５に示すように補強材６を接着したりしている。
【特許文献１】特開平６−１４１４２０号公報
【発明の開示】
【発明が解決しようとする課題】
【０００４】
上記した従来の保護カバー４の材料としては市販品を用いるが、補強のために板厚を厚くした場合には高価になり、曲げ加工をした場合は加工費が高くなる。又、補強材６を接着する場合にはやはり接着加工が必要となる。さらに、風冷式の制御盤の場合には、図６に示すように、保護カバー４に通気孔４ａを設ける必要があるが、この場合には盤幅が狭い場合でも補強が必要となった。なお、４ｂは取付脚３への取付孔である。
【０００５】
この発明は上記のような課題を解決するために成されたものであり、保護カバー本体を薄くすることができ、保護カバーの材料費、加工費を安価にすることができる制御盤を得ることを目的とする。
【課題を解決するための手段】
【０００６】
この発明の請求項１に係る制御盤は、二つ折り形状で開放端側にＬ字状に曲げられ、開放端側の二枚重ね部分に貫通した取付孔が設けられた補強部材と、補強部材の開放端側の二枚重ね部分に両端部が挟み込まれ、補強部材の取付孔と対応した部分に取付孔を有する保護カバー本体と、保護カバー本体の取付孔及び補強部材の取付孔に挿通され、制御盤本体内の前部に設けられた取付脚に取り付けられた取付部材とを備えたものである。
【０００７】
請求項２に係る制御盤は、二つ折り形状で開放端側にＬ字状に曲げられ、開放端側の二枚重ね部分に貫通した取付孔及び貫通した接続孔が設けられた補強部材と、補強部材の開放端側の二枚重ね部分に両端部が挟み込まれ、補強部材の接続孔と対応した部分に接続孔が設けられた保護カバー本体と、保護カバー本体の接続孔及び補強部材の接続孔に挿通され、補強部材と保護カバー本体とを接続する接続部材と、補強部材の取付孔に挿通され、制御盤本体内の前部に設けられた取付脚に取り付けられた取付部材とを備えたものである。
【０００８】
請求項３に係る制御盤は、二つ折り形状で開放端側にＬ字状に曲げられ、開放端側の二枚重ね部分に貫通した取付孔が設けられるとともに、開放端側の二枚重ね部分の一方に他方の側へ突出した突出部が設けられた補強部材と、補強部材の開放端側の二枚重ね部分に両端部が挟み込まれ、補強部材の突出部と嵌合する接続孔が設けられた保護カバー本体と、補強部材の取付孔に挿通され、制御盤本体内の前部に設けられた取付脚に取り付けられた取付部材とを備えたものである。
【０００９】
請求項４に係る制御盤は、補強部材の他方の側へ一方の側の突出部と嵌合する接続孔を設けたものである。
【００１０】
請求項５に係る制御盤は、保護カバー本体の補強部材の取付孔に対応した部分に取付孔を設け、取付部材を補強部材の取付孔及び保護カバー本体の取付孔に挿通して制御盤本体内の前部に設けられた取付脚に取り付けたものである。
【発明の効果】
【００１１】
以上のようにこの発明の請求項１によれば、補強部材と保護カバー本体とのより保護カバーを形成しており、補強部材は制御盤の高さ等に関係なく形成することができ、製作が容易となる。又、保護カバー本体は強度を必要としないので、板厚を薄くすることができ、また曲げ加工や補強材の接着等も必要でなく、通気孔の形成も容易であり、材料費や加工費を安価にすることができ、保護カバー全体としても材料費や加工費を安価にすることができる。
【００１２】
請求項２によれば、補強部材及び保護カバー本体の接続孔において接続部材によりこの両者を接続しており、取付脚に保護カバー本体を取り付ける必要がなくなる。その他の効果は請求項１と同様である。
【００１３】
請求項３，４によれば、補強部材に突出部を設け、この突出部を保護カバー本体の接続孔に嵌合して補強部材と保護カバー本体とを接続しており、接続部材が不要となり、構成を簡単にすることができる。
【００１４】
請求項５によれば、補強部材と保護カバー本体とを接続するとともに、この両者を取付部材により取付脚に取り付けており、強固な取付を行うことができる。
【発明を実施するための最良の形態】
【００１５】
実施最良形態１
以下、この発明を実施するための最良の形態を図面とともに説明する。図１（ａ），（ｂ）はこの発明の実施最良形態１による制御盤の要部斜視図及び要部断面図、図２（ａ），（ｂ）は実施最良形態１による補強部材の斜視図及び保護カバー本体の斜視図であり、７は透明材料により成形により製作された補強部材であり、二つ折り形状で開放端側にＬ字状に曲げられており、開放端側の二枚重ね部分に貫通した取付孔７ａ及び貫通した接続孔７ｂが設けられている。補強部材７は長尺物として成形され、使用時に切断して用いられる。８は補強部材７の開放端側の二枚重ね部分に上下両端が挟み込まれた保護カバー本体であり（保護カバー本体８の下端にも補強部材７が設けられている。）、補強部材７の取付孔７ａ及び接続孔７ｂとそれぞれ対応して取付孔８ａ及び接続孔８ｂが設けられている。
【００１６】
９は補強部材７の接続孔７ｂ及び保護カバー８の接続孔８ｂに挿通されたナイロンリベットであり、カシメることにより補強部材７と保護カバー８を接続する。１０は取付ボルトであり、補強部材７の取付孔７ａ及び保護カバー８の取付孔８ａに挿通され、制御盤本体１内の前部に設けられた取付脚３に螺合される。
【００１７】
上記構成においては、補強部材７と保護カバー本体８とにより保護カバーを形成しており、補強部材７においては制御盤の高さは関係なく、また通気孔４ａを設ける必要がないので、断面形状は同じでよく、また取付孔７ａは盤幅寸法に依存し、盤幅は通常１００ｍｍ単位で製作するので、取付孔７ａも予め形成可能であり、補強部材７は長尺物として形成可能であり、使用時は必要長さに切断して使用すればよい。従って、補強部材７の形成が容易となる。
【００１８】
又、保護カバー本体８は強度を必要としなくなり、薄くすることができるので、材料費を安価にすることができるとともに、通気孔の形成が容易であり、かつ保護カバー本体８の軽量化により組立も容易となる。また、保護カバー本体８は、強度を必要としないので、曲げ加工は必要でなく、補強材の接着も必要でなく、通気孔の形成も随意であり、加工が容易で安価となる。又、補強部材７と保護カバー本体８とを、ナイロンリベット９により接続するとともに、取付ボルト１０により取付脚３に取り付けており、強固な取付を行うことができる。
【００１９】
なお、ナイロンリベット９により補強部材７と保護カバー８を接続した場合には、取付ボルト１０による取付脚３に対する取付は補強部材７のみとしても支障はない。又、ナイロンリベット９による補強部材７と保護カバー本体８との接続も必ずしも必要でない。ただし、この場合には、取付ボルト１０による取付脚３に対する取付は補強部材７及び保護カバー８の両者の取付を行う必要がある。
【００２０】
実施最良形態２
図３（ａ），（ｂ）は実施最良形態２による配電盤の２例を示す要部断面図を示し、図３（ａ）の場合には補強部材７は二つ折り形状で開放端側にＬ字状に曲げられ、かつ開放端側の二枚重ね部分に貫通した取付孔７ａが設けられているが、接続孔７ｂは設けられていない。この接続孔７ｂに代わって、開放端側の二枚重ね部分の一方に他方の側への突出部７ｃが設けられる。保護カバー本体８は実施最良形態１と同様である。突出部７ｃは保護カバー本体８の接続孔８ｂと嵌合し、補強部材７と保護カバー本体８とを接続している。又、図３（ｂ）の場合には、実施最良形態１の補強部材７に開放端側の二枚重ね部分の一方に他方の側へ突出した突出部７ｃを設け、この突出部７ｃを保護カバー本体８の接続孔８ｂ及び補強部材７の接続孔７ｂに嵌合している。図３（ａ），（ｂ）において、その他の構成は実施最良形態１と同様である。
【００２１】
実施最良形態２においては、補強部材７に突出部７ｃを設けたことにより、保護カバー本体８との接続をナイロンリベット９を用いずに行うことができ、構成を簡単にすることができる。その他の効果は実施最良形態１と同様である。
【図面の簡単な説明】
【００２２】
【図１】この発明の実施最良形態１による制御盤の要部斜視図及び要部断面図である。
【図２】実施最良形態１による補強部材の斜視図及び保護カバー本体の斜視図である。
【図３】実施最良形態２による配電盤の２例を示す要部断面図である。
【図４】従来の制御盤の斜視図である。
【図５】従来の補強材により補強した保護カバーの側面図である。
【図６】従来の通気孔を設けた保護カバーの正面図である。
【符号の説明】
【００２３】
１…制御盤本体
３…取付脚
７…補強部材
７ａ，８ａ…取付孔
７ｂ，８ｂ…接続孔
７ｃ…突出部
８…保護カバー本体
９…ナイロンリベット
１０…取付ボルト
【図１】
2008017590.tif 000003
【図２】
2008017590.tif 000004
【図３】
2008017590.tif 000005
【図４】
2008017590.tif 000006
【図５】
2008017590.tif 000007
【図６】
2008017590.tif 000008